(57)【要約】【課題】作業服の清潔さを厳密に管理することを課題とする。【解決手段】作業日に対応付けて、作業者が行う作業内容を記憶する作業内容記憶部に記憶されている各作業内容の中で、現在までの各作業日に対応する各作業内容に基づいて、現在の作業服の汚れの度合いを示す現況値を算出する。また、作業内容記憶部に記憶されている各作業内容の中で、次の作業日に対応する作業内容に基づいて、次の作業日の作業中にさらに作業服に加わることが予測される汚れの度合いを示す追加値を算出する。そして、現況値に、追加値を加算して、次の作業日の作業終了時点における作業服の汚れの度合いを示す予測値を算出し、算出された予測値が閾値を超えている場合に、作業者に対して作業服を洗濯させるための警告を報知する。【選択図】図１
2010211410.tif 000002
【特許請求の範囲】
【請求項１】
作業日に対応付けて、作業者が行う作業内容を記憶する作業内容記憶部と、
作業者が行う作業の種別を識別する作業種別識別情報に対応付けて、作業服に加わる汚れの度合いを示す汚れ係数を記憶する汚れ係数記憶部と、
前記作業内容記憶部に記憶されている各作業内容の中で、現在までの各作業日に対応する各作業内容と、前記汚れ係数記憶部に記憶されている汚れ係数とに基づいて、現在の作業服の汚れの度合いを示す現況値を算出する現況値算出部と、
前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出部と、
前記現況値算出部によって算出された現況値に、前記追加値算出部によって算出された追加値を加算して、次の作業日の作業終了時点における作業服の汚れの度合いを示す予測値を算出し、算出された予測値が閾値を超えているか否かを判定する判定部と、
前記判定部によって前記予測値が閾値を超えていると判定された場合に、作業者に対して作業服を洗濯させるための警告を報知する警告報知部と
を有する警告報知装置。
【請求項２】
前記作業内容記憶部は、作業日に対応する作業内容として、作業時間と、作業種別識別情報とを記憶し、
前記現況値算出部は、現在までの作業日ごとに、前記作業内容記憶部から作業時間と、作業種別識別情報とを取得し、取得した各作業種別識別情報に対応付けて前記汚れ係数記憶部に記憶されている汚れ係数を各作業時間に乗算して各作業日に作業服に加わった汚れの度合いを示す実施作業追加値を算出し、算出した実施作業追加値を足し合わせて前記現況値を算出し、
前記追加値算出部は、前記作業内容記憶部から次の作業日に対応する作業時間と、作業種別識別情報とを取得し、取得した各作業種別識別情報に対応付けて前記汚れ係数記憶部に記憶されている汚れ係数を次の作業日の作業時間に乗算して前記追加値を算出する請求項１に記載の警告報知装置。
【請求項３】
作業日に対応付けて、作業者が行う作業内容を記憶する作業内容記憶部に記憶されている各作業内容の中で、現在までの各作業日に対応する各作業内容と、作業者が行う作業の種別を識別する作業種別識別情報に対応付けて、作業服に加わる汚れの度合いを示す汚れ係数を記憶する汚れ係数記憶部に記憶されている汚れ係数とに基づいて、現在の作業服の汚れの度合いを示す現況値を算出する現況値算出ステップと、
前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出ステップと、
前記現況値算出ステップによって算出された現況値に、前記追加値算出ステップによって算出された追加値を加算して、次の作業日の作業終了時点における作業服の汚れの度合いを示す予測値を算出し、算出された予測値が閾値を超えているか否かを判定する判定ステップと、
前記判定ステップによって前記予測値が閾値を超えていると判定された場合に、作業者に対して作業服を洗濯させるための警告を報知する警告報知ステップと
を含むコンピュータによる警告報知方法。
【請求項４】
作業日に対応付けて、作業者が行う作業内容を記憶する作業内容記憶部に記憶されている各作業内容の中で、現在までの各作業日に対応する各作業内容と、作業者が行う作業の種別を識別する作業種別識別情報に対応付けて、作業服に加わる汚れの度合いを示す汚れ係数を記憶する汚れ係数記憶部に記憶されている汚れ係数とに基づいて、現在の作業服の汚れの度合いを示す現況値を算出する現況値算出手順と、
前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出手順と、
前記現況値算出手順によって算出された現況値に、前記追加値算出手順によって算出された追加値を加算して、次の作業日の作業終了時点における作業服の汚れの度合いを示す予測値を算出し、算出された予測値が閾値を超えているか否かを判定する判定手順と、
前記判定手順によって前記予測値が閾値を超えていると判定された場合に、作業者に対して作業服を洗濯させるための警告を報知する警告報知手順と
をコンピュータに実行させる警告報知プログラム。
【発明の詳細な説明】
【技術分野】
【０００１】
作業者に作業服を洗濯するように警告を報知する警告報知装置、警告報知方法および警告報知プログラムに関する。
【背景技術】
【０００２】
従来、作業者が着用する作業服の清潔さが求められる業種において、作業者に作業服を洗濯するように警告を報知する技術がある（特許文献１および特許文献２参照）。例えば、作業者の作業場への入退出時刻に基づいて、作業者が作業服を着用した時間である着用時間を計測し、着用時間が予め設定されている許容時間を超えている場合に、作業者に対して警告を報知する技術がある。
【先行技術文献】
【特許文献】
【０００３】
【特許文献１】特開２００５−１４９１０３号公報
【特許文献２】特開２００３−１０５６０９号公報
【発明の概要】
【発明が解決しようとする課題】
【０００４】
ところで、上述の従来技術では、着用時間が許容時間を超えた後に、作業者に対して警告を報知するので、作業服の清潔さを厳密に管理できないという課題があった。すなわち、作業者は、作業中に作業服の着用時間が許容時間を超えても、その作業服を着用したまま作業終了時まで作業を継続する。したがって、上述の従来技術では、許容時間を超えている状態の作業服を着用した作業者が作業を行っていることとなり、作業服の清潔さを厳密に管理できていないという問題点があった。
【０００５】
そこで、開示の技術は、上述した従来技術の課題を解決するためになされたものであり、作業服の清潔さを厳密に管理することが可能な警告報知装置、警告報知方法および警告報知プログラムを提供することを目的とする。
【課題を解決するための手段】
【０００６】
上述した課題を解決し、目的を達成するため、開示の装置は、作業日に対応付けて、作業者が行う作業内容を記憶する作業内容記憶部と、作業者が行う作業の種別を識別する作業種別識別情報に対応付けて、作業服に加わる汚れの度合いを示す汚れ係数を記憶する汚れ係数記憶部と、前記作業内容記憶部に記憶されている各作業内容の中で、現在までの各作業日に対応する各作業内容と、前記汚れ係数記憶部に記憶されている汚れ係数とに基づいて、現在の作業服の汚れの度合いを示す現況値を算出する現況値算出部と、前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出部と、前記現況値算出部によって算出された現況値に、前記追加値算出部によって算出された追加値を加算して、次の作業日の作業終了時点における作業服の汚れの度合いを示す予測値を算出し、算出された予測値が閾値を超えているか否かを判定する判定部と、前記判定部によって前記予測値が閾値を超えていると判定された場合に、作業者に対して作業服を洗濯させるための警告を報知する警告報知部とを有する。
【発明の効果】
【０００７】
開示の装置によれば、作業服の清潔さを厳密に管理することが可能である。
【図面の簡単な説明】
【０００８】
【図１】図１は、実施例１に係る警告報知装置１の概要を説明するための図である。
【図２】図２は、警告報知装置１の構成を示すブロック図である。
【図３】図３は、作業服識別情報記憶部３１に記憶される情報の一例を示した図である。
【図４】図４は、作業内容記憶部３２に記憶される情報の一例を示した図である。
【図５】図５は、汚れ係数記憶部３３に記憶される情報の一例を示した図である。
【図６】図６は、警告報知装置１による処理の流れを示すフローチャート図である。
【図７】図７は、警告報知プログラムを実行するコンピュータを示す図である。
【発明を実施するための形態】
【０００９】
以下に、警告報知装置、警告報知方法および警告報知プログラムの一実施形態を説明する。
【実施例１】
【００１０】
［実施例１に係る警告報知装置１の概要］
図１は、実施例１に係る警告報知装置１の概要を説明するための図である。実施例１に係る警告報知装置１は、作業者に作業服を洗濯するように警告を報知することを概要とする。そして、実施例１に係る警告報知装置１は、特に、作業服の清潔さを厳密に管理する。
【００１１】
すなわち、実施例１に係る警告報知装置１は、作業日に対応付けて、作業者が行う作業内容を記憶する作業内容記憶部を有する。作業内容とは、図１に示すように、作業者が行う作業の種別および作業時間である。また、警告報知装置１は、作業の種別を識別する作業種別識別情報に対応付けて、作業の種別に応じた作業服に加わる汚れの度合いを示す汚れ係数を記憶する汚れ係数記憶部を有する。また、警告報知装置１は、汚れの度合いの許容閾値として、７０を記憶する。
【００１２】
このような前提の下、２日目の作業を終えた作業者が作業場から退出するときの、警告報知装置１の処理について説明する。警告報知装置１は、現在までの各作業日に対応する各作業内容に基づいて、現在の作業服の汚れの度合いを示す現況値を算出する。図１に示した例では、警告報知装置１は、作業Ａの汚れ係数１と、１日目の作業時間である８時間とを乗算し、１日目に作業服に加わる汚れの度合いを示す実施作業追加値「８」を算出する。また、警告報知装置１は、作業Ｂの汚れ係数２と、２日目の作業時間である１２時間とを乗算し、２日目に作業服に加わる汚れの度合いを示す実施作業追加値「２４」を算出する。そして、警告報知装置１は、１日目の実施作業追加値「８」と、２日目の実施作業追加値「２４」とを足し合わせて、２日目の作業終了時点の作業服の汚れの度合いを示す現況値「３２」を算出する。
【００１３】
次に、警告報知装置１は、次の作業日に対応する作業内容に基づいて、次の作業日の作業中にさらに作業服に加わることが予測される汚れの度合いを示す追加値を算出する。図１に示した例では、警告報知装置１は、作業Ｃの汚れ係数３と、３日目の作業時間である１６時間とを乗算し、３日目の作業中にさらに作業服に加わることが予測される汚れの度合いを示す追加値「４８」を算出する。
【００１４】
続いて、警告報知装置１は、現況値に、追加値を加算して、次の作業日の作業終了時点における作業服の汚れの度合いを示す予測値を算出する。ここで、警告報知装置１は、予測値が許容閾値を超えていると、作業者に対して作業服を洗濯させるための警告を報知する。図１に示した例では、警告報知装置１は、３日目の作業終了時点の予測値「８０」が許容閾値「７０」を超えているため、作業者に作業服を洗濯させるための警告を報知する。
【００１５】
このように、実施例１に係る警告報知装置１によれば、作業服の汚れの度合いが許容閾値を越える前に、作業者に作業服を洗濯させるための警告を報知するので、作業服の清潔さを厳密に管理することが可能である。例えば、警告報知装置１は、２日目の作業を終えた作業者が作業場から退出するときに警告を報知し、作業者に作業服を洗濯させる。その結果、作業服の汚れの度合いを示す値が「０」となり、３日目の作業中における作業服の汚れの度合いを示す値を許容閾値以下に保つことができる。このように、警告報知装置１は、作業服の清潔さを厳密に管理することが可能である。
【００１６】
［警告報知装置の構成］
図２は、警告報知装置１の構成を示すブロック図である。図２に示すように、警告報知装置１は、入力部１０、出力部２０、記憶部３０および制御部４０を有する。入力部１０は、例えば、キーボード、タッチパネル、タイムカードに作業時間を書き込むタイムレコーダ、作業服に貼り付けられているタグから作業服を識別する作業服識別情報を読み出すタグリーダなどである。具体的には、入力部１０は、作業者による操作を受け付け、作業者を識別する作業者識別情報や作業服識別情報を入力する。
【００１７】
出力部２０は、例えば、スピーカ、ディスプレイ、モニタなどである。具体的には、出力部２０は、作業者に作業服を洗濯させるための警告を報知する。
【００１８】
記憶部３０は、制御部４０による各種処理に必要なデータおよびプログラムを記憶する。具体的には、記憶部３０は、作業服識別情報記憶部３１と、作業内容記憶部３２と、汚れ係数記憶部３３とを有する。
【００１９】
図３は、作業服識別情報記憶部３１に記憶される情報の一例を示した図である。作業服識別情報記憶部３１は、作業者識別情報に対応付けて、作業服識別情報を記憶する。具体的に一例をあげて説明すると、作業服識別情報記憶部３１は、図３に示すように、作業者名である「甲」に対応付けて、作業者「甲」が着用する作業服に付与されている作業服識別番号「ａ０１」を記憶する。
【００２０】
図４は、作業内容記憶部３２に記憶される情報の一例を示した図である。作業内容記憶部３２は、作業日に対応付けて、作業者が行う作業内容を記憶する。具体的には、作業内容記憶部３２は、作業者識別情報ごとに、作業者名と、作業日と、作業種別と、作業時間とを対応付けた作業時間表を記憶する。図４に示す例は、作業者「甲」の作業時間表であり、作業内容記憶部３２は、作業者「甲」が、１日目の作業日に作業Ａを８時間行ったことを意味する情報を記憶する。また、作業内容記憶部３２は、作業者「甲」が、３日目の作業日に作業Ｃを１６時間行うことが予定されていることを示す情報を記憶する。
【００２１】
なお、作業日は、作業者によって作業服の洗濯が行われると、次の作業日を起算日にした作業日に更新される。例えば、２日目の作業日における作業終了後に作業服の洗濯が行われると、３日目が１日目に更新される。
【００２２】
また、作業時間は、作業者が実際に作業を行った時間に応じて、適宜更新されるようにしてもよい。例えば、警告報知装置１は、作業者が作業場から退出するときに、作業者が作業場に入場した時刻からの経過時間を作業時間として算出し、作業内容記憶部３２に記憶されている作業時間を、算出した作業時間に更新するようにしてもよい。
【００２３】
図５は、汚れ係数記憶部３３に記憶される情報の一例を示した図である。汚れ係数記憶部３３は、作業種別識別情報に対応付けて、作業の種別に応じた作業服に加わる汚れの度合いを示す汚れ係数を記憶する。具体的に一例をあげて説明すると、汚れ係数記憶部３３は、図５に示すように、作業Ａに対応付けて、作業Ａの汚れ係数である１を記憶する。
【００２４】
制御部４０は、制御プログラム、各種の処理手順などを規定したプログラム、および所要データを格納するための内部メモリを有し、これらによって種々の処理を実行する。具体的には、制御部４０は、現況値算出部４１、追加値算出部４２、判定部４３、および警告報知部４４を有する。
【００２５】
現況値算出部４１は、作業内容記憶部３２に記憶されている各作業内容の中で、現在までの各作業日に対応する各作業内容に基づいて、現在の作業服の汚れの度合いを示す現況値を算出する。具体的には、現況値算出部４１は、作業者が作業場から退出するときに、作業者識別情報を受け付けると、受け付けた作業者識別情報に対応する作業時間表を作業内容記憶部３２から読み出す。
【００２６】
さらに、現況値算出部４１は、読み出した作業時間表から、現在までの各作業日に対応する作業時間と、作業種別識別情報とを取得する。続いて、現況値算出部４１は、取得した作業種別識別情報に対応する汚れ係数を汚れ係数記憶部３３から読み出す。これに続いて、現況値算出部４１は、作業日ごとに、対応する汚れ係数を各作業時間に乗算して実施作業追加値を算出する。そして、現況値算出部４１は、各作業日の実施作業追加値を足し合わせて、現況値を算出する。
【００２７】
追加値算出部４２は、作業内容記憶部３２に記憶されている各作業内容の中で、次の作業日に対応する作業内容に基づいて、次の作業日の作業中にさらに作業服に加わることが予測される汚れの度合いを示す追加値を算出する。具体的には、追加値算出部４２は、受け付けた作業者識別情報に対応する作業時間表を作業内容記憶部３２から読み出す。
【００２８】
さらに、追加値算出部４２は、読み出した作業時間表から、次の作業日に対応する作業時間と、作業種別識別情報とを取得する。続いて、追加値算出部４２は、取得した作業種別識別情報に対応する汚れ係数を汚れ係数記憶部３３から読み出す。そして、追加値算出部４２は、汚れ係数を次の作業日の作業時間に乗算して、追加値を算出する。
【００２９】
なお、現況値算出部４１、および追加値算出部４２は、作業服識別番号を取得して、取得した作業服識別番号から作業者を特定するようにしてもよい。例えば、現況値算出部４１は、作業者が作業場から退出するときに、作業服に貼り付けられたタグから作業服識別番号を取得し、取得した作業服識別番号に対応する作業者識別情報を作業服識別情報記憶部３１から読み出す。
【００３０】
判定部４３は、現況値算出部４１によって算出された現況値、および追加値算出部４２によって算出された追加値を足し合わせて、次の作業日の作業終了時点における作業服の汚れの度合いを示す予測値を算出する。そして、判定部４３は、予測値と、許容閾値とを比較し、予測値が、許容閾値を超えているか否かを判定する。
【００３１】
警告報知部４４は、判定部４３によって予測値が許容閾値を超えていると判定された場合に、作業者に対して作業服を洗濯させるための警告を報知する。一方では、警告報知部４４は、判定部４３によって予測値が許容閾値以下であると判定されると、そのまま処理を終了する。
【００３２】
［警告報知装置１による処理］
図６は、警告報知装置１による処理の流れを示すフローチャート図である。図６に示すように、現況値算出部４１は、作業者識別情報を受け付けると（ステップＳ１０１肯定）、現況値を算出する（ステップＳ１０２）。続いて、追加値算出部４２は、追加値を算出する（ステップＳ１０３）。
【００３３】
現況値および追加値が算出されると、判定部４３は、予測値を算出し（ステップＳ１０４）、予測値と、許容閾値とを比較する（ステップＳ１０５）。
【００３４】
ここで、予測値が許容閾値を超えていると判定された場合には（ステップＳ１０５肯定）、警告報知部４４は、警告を報知する（ステップＳ１０６）。一方では、予測値が許容閾値以下であると判定された場合には（ステップＳ１０５否定）、警告報知部４４は、そのまま処理を終了する。
【００３５】
上記したように、実施例１によれば、作業服の清潔さを厳密に管理することが可能である。
【実施例２】
【００３６】
以下に、警告報知装置、警告報知方法および警告報知プログラムの他の実施形態を説明する。
【００３７】
（１）警告報知タイミング
警告報知装置１が作業者に警告を報知するタイミングは、作業者が作業場から退出するときに限定されるものではない。例えば、警告報知装置１は、作業服が洗濯されたことを確認するまで、作業者が作業場に入室するときに、入室を禁止する警告を報知するようにしてもよい。
【００３８】
（２）許容閾値
警告報知装置１は、次の作業日の作業内容に応じて許容閾値を設定するようにしてもよい。例えば、警告報知装置１は、作業種別識別情報に対応付けて許容閾値を記憶する記憶部をさらに有する。そして、判定部４３は、その記憶部から次の作業日の作業種別識別情報に対応する許容閾値を読み出して、予測値と比較する。
【００３９】
このようにすることで、警告報知装置１は、作業内容に応じた清潔さで作業服を管理するとこができる。例えば、より清潔であることが求められる作業の作業種別識別情報に対応付けて、他の作業種別識別情報よりも小さい許容閾値を記憶すれば、その作業を行うときの作業服をより清潔に保つことができる。
【００４０】
（３）汚れ係数
警告報知装置１は、次の作業日の日付に応じて汚れ係数を変更するようにしてもよい。例えば、汚れ係数記憶部３３は、１月から１２月までの月ごとに、各作業種別識別情報に対応する汚れ係数を記憶する。そして、現況値算出部４１、および追加値算出部４２は、次の作業日がある月の汚れ係数を読み出す。
【００４１】
このようにすることで、次の作業日の日付に応じた清潔さで作業服を管理するとこができる。例えば、より清潔であることが求められる月の汚れ係数として、他の月の汚れ係数よりも大きい汚れ係数を記憶すれば、作業日ごとの実施作業追加値も大きくなるので、結果として、次の作業日における作業服をより清潔に保つことができる。
【００４２】
（４）着用時間
警告報知装置１は、現在までの作業時間に、次の作業日に予定されている作業時間を加算して総作業時間を算出し、算出した総作業時間が予め設定されている許容時間を超えている場合に、作業者に作業服を洗濯させるための警告を報知するようにしてもよい。
【００４３】
例えば、警告報知装置１は、作業内容記憶部３２に記憶されている各作業時間の中で、現在までの各作業日に対応する作業時間と、次の作業日に対応する作業時間とを取得する。そして、警告報知装置１は、取得された作業時間の合計である総作業時間が、予め設定されている許容時間を超えている場合に、作業者に作業服を洗濯させるための警告を報知する。
【００４４】
このようにすれば、より簡単な構成で、作業服の清潔さを厳密に管理することが可能である。
【００４５】
（５）残業中の作業服の汚れの度合いを監視
予測値が許容閾値以下であると判定すると、警告報知装置１は、許容閾値から予測値を差し引いて差分値を算出する。これに続いて、警告報知装置１は、差分値を次の作業日の作業種別に対応する汚れ係数で除算して、作業服の汚れの度合いを許容閾値以下に保つことができる時間である上限作業時間を算出する。
【００４６】
また、警告報知装置１は、次の作業日に、作業者が作業場に入室してからの経過時間を計測する。そして、警告報知装置１は、経過時間が次の作業日の作業時間を超えて、上限作業時間に到達した場合に、作業者に対して、作業場から退出して作業服を着替えるように警告を報知する。
【００４７】
このようにすれば、作業者が次の作業日に残業を行った結果、残業中に作業服の汚れの度合いが許容閾値を超えることも防止できる。
【００４８】
（６）装置構成等
上記の実施例１において、図２を用いて説明した警告報知装置１の各構成要素は機能概念的なものであり、必ずしも物理的に図２に示すようにして構成されていることを要しない。すなわち、警告報知装置１の分散・統合の具体的形態は、図２に示すものに限られず、例えば、現況値算出部４１と、追加値算出部４２とを統合する。このように、警告報知装置１の各構成要素の全部または一部を、各種の負荷や使用状況などに応じて、任意の単位で機能的または物理的に分散・統合して構成することができる。さらに、警告報知装置１にて行われる各処理機能（例えば、図６参照）は、その全部または任意の一部が、ＣＰＵおよび当該ＣＰＵにて解析実行されるプログラムにて実現され、あるいは、ワイヤードロジックによるハードウェアとして実現され得る。
【００４９】
（７）警告報知プログラム
ところで、上記の実施例１で説明した各種の処理（例えば、図６参照）は、予め用意されたプログラムをパーソナルコンピュータやワークステーションなどのコンピュータシステムで実行することによって実現することができる。そこで、以下では、上記の実施例１と同様の機能を有する警告報知プログラムを実行するコンピュータの一例を説明する。図７は、警告報知プログラムを実行するコンピュータを示す図である。
【００５０】
図７に示すように、コンピュータ１００は、入力部１１０、出力部１２０、ＨＤＤ１３０、ＲＡＭ１４０およびＣＰＵ１５０をバス１６０で接続して構成される。
【００５１】
ここで、入力部１１０は、各種データの入力を受け付ける。出力部１２０は、各種情報を表示する。ＨＤＤ１３０は、ＣＰＵ１５０による各種処理の実行に必要な情報を記憶する。ＲＡＭ１４０は、各種情報を一時的に記憶する。ＣＰＵ１５０は、各種演算処理を実行する。
【００５２】
そして、ＨＤＤ１３０には、図７に示すように、上記の実施例１に示した制御部４０と同様の機能を発揮する警告報知プログラム１３１が予め記憶されている。なお、警告報知プログラム１３１は、適宜分散させて、ネットワークを介して通信可能に接続された他のコンピュータの記憶部に記憶させておくこともできる。
【００５３】
そして、ＣＰＵ１５０が、警告報知プログラム１３１をＨＤＤ１３０から読み出してＲＡＭ１４０に展開する。これにより、図７に示すように、警告報知プログラム１３１は、警告報知プロセス１４１として機能するようになる。そして、警告報知プログラム１３１は、判定用データ１３２をＨＤＤ１３０から読み出して、ＲＡＭ１４０において自身に割り当てられた領域に展開し、この展開したデータ等に基づいて各種処理を実行する。
【００５４】
なお、警告報知プロセス１４１は、図２に示した現況値算出部４１、追加値算出部４２、判定部４３、および警告報知部４４において実行される処理に対応する。また、判定用データ１３２は、図２に示した作業服識別情報記憶部３１、作業内容記憶部３２、および汚れ係数記憶部３３に記憶される情報に対応する。
【００５５】
なお、上記した各プログラムおよび各データについては、必ずしも最初からＨＤＤ１３０に記憶させておく必要はない。例えば、コンピュータ１００に挿入されるフレキシブルディスク（ＦＤ）、ＣＤ−ＲＯＭ、ＤＶＤディスク、光磁気ディスク、ＩＣカードなどのコンピュータ読み取り可能な記憶媒体に各プログラムを記憶させておき、コンピュータ１００がこれらから各プログラムを読み出して実行するようにしてもよい。あるいは、公衆回線、インターネット、ＬＡＮ、ＷＡＮなどの通信回線を介してコンピュータ１００に接続される「他のコンピュータ（またはサーバ）」などに各プログラムを記憶させておき、コンピュータ１００がこれらの通信回線を介して「他のコンピュータ（またはサーバ）」などから各プログラムを読み出して実行するようにしてもよい。
【００５６】
（８）警告報知方法
上記の実施例１で説明した警告報知装置１により、以下のような警告報知方法が実現される。
【００５７】
すなわち、作業日に対応付けて、作業者が行う作業内容を記憶する作業内容記憶部に記憶されている各作業内容の中で、現在までの各作業日に対応する各作業内容に基づいて、現在の作業服の汚れの度合いを示す現況値を算出する現況値算出ステップ（図６のステップＳ１０２参照）と、作業内容記憶部に記憶されている各作業内容の中で、次の作業日に対応する作業内容に基づいて、次の作業日の作業中にさらに作業服に加わることが予測される汚れの度合いを示す追加値を算出する追加値算出ステップ（図６のステップＳ１０３参照）と、現況値算出ステップによって算出された現況値に、追加値算出ステップによって算出された追加値を加算して、次の作業日の作業終了時点における作業服の汚れの度合いを示す予測値を算出し、算出された予測値が閾値を超えているか否かを判定する判定ステップ（図６のステップＳ１０４、Ｓ１０５参照）と、判定ステップによって予測値が閾値を超えていると判定された場合に、作業者に対して作業服を洗濯させるための警告を報知する警告報知ステップと（図６のステップＳ１０６参照）を含んだ警告報知方法が実現される。
【００５８】
以上の各実施例を含む実施形態に関し、さらに以下の付記を開示する。
【００５９】
（付記１）作業日に対応付けて、作業者が行う作業内容を記憶する作業内容記憶部と、作業者が行う作業の種別を識別する作業種別識別情報に対応付けて、作業服に加わる汚れの度合いを示す汚れ係数を記憶する汚れ係数記憶部と、前記作業内容記憶部に記憶されている各作業内容の中で、現在までの各作業日に対応する各作業内容と、前記汚れ係数記憶部に記憶されている汚れ係数とに基づいて、現在の作業服の汚れの度合いを示す現況値を算出する現況値算出部と、前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出部と、前記現況値算出部によって算出された現況値に、前記追加値算出部によって算出された追加値を加算して、次の作業日の作業終了時点における作業服の汚れの度合いを示す予測値を算出し、算出された予測値が閾値を超えているか否かを判定する判定部と、前記判定部によって前記予測値が閾値を超えていると判定された場合に、作業者に対して作業服を洗濯させるための警告を報知する警告報知部とを有する警告報知装置。
【００６０】
（付記２）前記作業内容記憶部は、作業日に対応する作業内容として、作業時間と、作業種別識別情報とを記憶し、前記現況値算出部は、現在までの作業日ごとに、前記作業内容記憶部から作業時間と、作業種別識別情報とを取得し、取得した各作業種別識別情報に対応付けて前記汚れ係数記憶部に記憶されている汚れ係数を各作業時間に乗算して各作業日に作業服に加わった汚れの度合いを示す実施作業追加値を算出し、算出した実施作業追加値を足し合わせて前記現況値を算出し、前記追加値算出部は、前記作業内容記憶部から次の作業日に対応する作業時間と、作業種別識別情報とを取得し、取得した各作業種別識別情報に対応付けて前記汚れ係数記憶部に記憶されている汚れ係数を次の作業日の作業時間に乗算して前記追加値を算出する付記１に記載の警告報知装置。
【００６１】
（付記３）前記作業種別識別情報に対応付けて閾値を記憶する閾値記憶部をさらに有し、前記判定部は、前記閾値記憶部から次の作業日の作業種別識別情報に対応する閾値を読み出し、前記予測値が、読み出した閾値を超えているか否かを判定する付記１に記載の警告報知装置。
【００６２】
（付記４）前記汚れ係数記憶部は、月ごとに、作業種別識別情報に対応付けて、汚れ係数を記憶し、前記現況値算出部は、次の作業日を含む月の汚れ係数を前記汚れ係数記憶部から読み出して、対応する汚れ係数を各作業時間に乗算して実施作業追加値を算出し、前記追加値算出部は、次の作業日を含む月の汚れ係数を前記汚れ係数記憶部から読み出して、対応する汚れ係数を作業時間に乗算して追加値を算出する付記２に記載の警告報知装置。
【００６３】
（付記５）作業日に対応付けて、作業者が行う作業内容を記憶する作業内容記憶部に記憶されている各作業内容の中で、現在までの各作業日に対応する各作業内容と、作業者が行う作業の種別を識別する作業種別識別情報に対応付けて、作業服に加わる汚れの度合いを示す汚れ係数を記憶する汚れ係数記憶部に記憶されている汚れ係数とに基づいて、現在の作業服の汚れの度合いを示す現況値を算出する現況値算出ステップと、前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出ステップと、前記現況値算出ステップによって算出された現況値に、前記追加値算出ステップによって算出された追加値を加算して、次の作業日の作業終了時点における作業服の汚れの度合いを示す予測値を算出し、算出された予測値が閾値を超えているか否かを判定する判定ステップと、前記判定ステップによって前記予測値が閾値を超えていると判定された場合に、作業者に対して作業服を洗濯させるための警告を報知する警告報知ステップとを含むコンピュータによる警告報知方法。
【００６４】
（付記６）作業日に対応付けて、作業者が行う作業内容を記憶する作業内容記憶部に記憶されている各作業内容の中で、現在までの各作業日に対応する各作業内容と、作業者が行う作業の種別を識別する作業種別識別情報に対応付けて、作業服に加わる汚れの度合いを示す汚れ係数を記憶する汚れ係数記憶部に記憶されている汚れ係数とに基づいて、現在の作業服の汚れの度合いを示す現況値を算出する現況値算出手順と、前記作業内容記憶部に記憶されている各作業内容の中で、次の作業日に対応する作業内容と、前記汚れ係数記憶部に記憶されている汚れ係数とに基づいて、次の作業日の作業中にさらに作業服に加わることが予測される汚れの度合いを示す追加値を算出する追加値算出手順と、前記現況値算出手順によって算出された現況値に、前記追加値算出手順によって算出された追加値を加算して、次の作業日の作業終了時点における作業服の汚れの度合いを示す予測値を算出し、算出された予測値が閾値を超えているか否かを判定する判定手順と、前記判定手順によって前記予測値が閾値を超えていると判定された場合に、作業者に対して作業服を洗濯させるための警告を報知する警告報知手順とをコンピュータに実行させる警告報知プログラム。
【符号の説明】
【００６５】
１  警告報知装置
１０  入力部
２０  出力部
３０  記憶部
３１  作業服識別情報記憶部
３２  作業内容記憶部
３３  汚れ係数記憶部
４０  制御部
４１  現況値算出部
４２  追加値算出部
４３  判定部
４４  警告報知部
１００  コンピュータ
１１０  入力部
１２０  出力部
１３０  ＨＤＤ（Hard Disk Drive）
１３１  警告報知プログラム
１３２  判定用データ
１４０  ＲＡＭ（Read Only Memory）
１４１  警告報知プロセス
１５０  ＣＰＵ（Central Processing Unit）
１６０  バス
【図１】
2010211410.tif 000003
【図２】
2010211410.tif 000004
【図３】
2010211410.tif 000005
【図４】
2010211410.tif 000006
【図５】
2010211410.tif 000007
【図６】
2010211410.tif 000008
【図７】
2010211410.tif 000009